(57)【要約】【課題】  電子機器の重量や姿勢に影響されることなく、電子機器を設置する設置面を良好に振動させることができる電子機器を提供する。【解決手段】  音声信号に応じて変位するアクチュエータを用いて、電子機器２を設置する設置面６を振動させることにより音声を出力する第１音声出力部１２と、前記設置面６と前記第１音声出力部１２との接触圧を制御する制御部１４ａ，１４ｂとを備える。【選択図】  図１
2011182368.tif 000002
【特許請求の範囲】
【請求項１】
音声信号に応じて変位するアクチュエータを用いて、電子機器を設置する設置面を振動させることにより音声を出力する第１音声出力部と、
前記設置面と前記第１音声出力部との接触圧を制御する制御部と、
を備えることを特徴とする電子機器。
【請求項２】
前記制御部は、前記第１音声出力部にかかる前記電子機器の重量、前記設置面の状態、及び前記設置面に対する前記電子機器の姿勢の少なくとも１つに基づいて、前記接触圧を制御することを特徴とする請求項１記載の電子機器。
【請求項３】
前記音声信号に応じた音声を出力する第２音声出力部と、
前記音声信号に基づいて、前記第１音声出力部または前記第２音声出力部により前記音声を出力することを選択する選択部と、
を備えることを特徴とする請求項１または請求項２記載の電子機器。
【請求項４】
前記音声信号に応じた音声を出力する第２音声出力部と、
前記音声信号に基づいて、前記第１音声出力部及び前記第２音声出力部により出力させる前記音声を選択する選択部と、
を備えることを特徴とする請求項１または請求項２記載の電子機器。
【請求項５】
前記音声信号に応じた音声を出力する第２音声出力部と、
画像表示部に表示される画像に基づいて、前記第１音声出力部及び前記第２音声出力部の少なくとも一方により前記画像に対応する音声を出力することを選択する選択部と、
を備えることを特徴とする請求項１または請求項２記載の電子機器。
【請求項６】
前記設置面に設置可能な前記電子機器の面毎に前記音声出力部及び前記制御部の少なくとも一方を備えることを特徴とする請求項１〜請求項５の何れか一項に記載の電子機器。
【発明の詳細な説明】
【技術分野】
【０００１】
本発明は、電子機器に関するものである。
【背景技術】
【０００２】
テーブルまたは床に設置される映像表示装置の質量を受け、音声信号に応じて変位する超磁歪アクチュエータを用いてテーブルまたは床を振動させることにより音声を出力するスピーカ装置が提案されている（例えば、特許文献１参照）。
【先行技術文献】
【特許文献】
【０００３】
【特許文献１】特開２００７−１５８７５２号公報
【発明の概要】
【発明が解決しようとする課題】
【０００４】
ところで、特許文献１記載のスピーカ装置については、大型で重い映像表示装置に対してその機能を十分に発揮するのに対し、例えばデジタルフォトフレーム、ネットブック及びポータブルＤＶＤプレイヤー等の小型で軽量の電子機器に対してスピーカとしての十分な音量及び音質を得るのは困難であった。
【０００５】
本発明の目的は、電子機器の重量や姿勢に影響されることなく、電子機器を設置する設置面を良好に振動させることができる電子機器を提供することである。
【課題を解決するための手段】
【０００６】
本発明の電子機器は、音声信号に応じて変位するアクチュエータを用いて、電子機器を設置する設置面を振動させることにより音声を出力する第１音声出力部と、前記設置面と前記第１音声出力部との接触圧を制御する制御部とを備えることを特徴とする。
【発明の効果】
【０００７】
本発明の電子機器によれば、電子機器の重量や姿勢に影響されることなく、電子機器を設置する設置面を良好に振動させることができる。
【図面の簡単な説明】
【０００８】
【図１】第１の実施の形態に係るデジタルフォトフレームの構成を示す図である。
【図２】第１の実施の形態に係るスピーカの構成を示す断面図である。
【図３】第１の実施の形態に係る調整部の構成を示す断面図である。
【図４】第２の実施の形態に係るＤＰＦの音声出力に関するシステム構成を示すブロック図である。
【図５】第２の実施の形態に係るＤＰＦの音声出力に関する他のシステム構成を示すブロック図である。
【図６】第３の実施の形態に係るＤＰＦのシステム構成を示すブロック図である。
【図７】他のデジタルフォトフレームの構成を示す図である。
【発明を実施するための形態】
【０００９】
以下、図面を参照して、本発明の第１の実施の形態に係る電子機器としてのデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。図１は、第１の実施の形態に係るＤＰＦの構成を示す図であり、図１（ａ）は正面図、図１（ｂ）は側面図である。ＤＰＦ２は、ガラスやプラスチック等からなる筐体４を備え、筐体４の裏面には、筐体４を床や机等の設置面６に立て掛けて設置するための脚部８が設けられている。また、筐体４の前面には、観賞用画像や時刻等の情報を電気的に表示する表示部としてのＬＣＤパネル１０が設けられている。
【００１０】
また、筐体４の下部には、音楽や音声が出力されるスピーカ１２、設置面６とスピーカ１２との接触圧を調整するための調整部１４ａ，１４ｂが内蔵されている。図２は、スピーカ１２の構成を示す断面図である。図２に示すように、スピーカ１２は、ＤＰＦ２の内部メモリ（図示せず）等に記録され、オーディオデコーダ（図示せず）により復号化された音声データに基づく音声信号に応じて変位するピエゾアクチュエータ１６及び振動子１８を備えている。
【００１１】
振動子１８は、ピエゾアクチュエータ１６に取り付けられ、設置面６に密着される。また、振動子１８と設置面６との間に磁石（設置面６が金属の場合に限る）、粘着性または微小な弾性を有するジェル等の材料を挟むことにより、振動子１８の設置面６への密着度が高まる。そして、振動子１８の設置面６への密着度が高まることにより、ピエゾアクチュエータ１６の変位による振動を振動子１８を介して設置面６に適切に伝達することができる。但し、振動子１８と設置面６との間に挟む材料が柔らかすぎた場合、振動が設置面６に伝達しないおそれがあるため、振動を設置面６に伝達可能であり、かつ設置面６への密着度を高めることができる硬さの材料を用いる。このように、ピエゾアクチュエータ１６を変位させ、振動子１８を介して設置面６を適切に振動させることにより、スピーカ１２から音声が出力される。
【００１２】
図３は、調整部１４ａの構成を示す断面図である。なお、調整部１４ｂは、調整部１４ａと同一の構成を有する。図３に示すように、調整部１４ａは、吸盤２０、コイルスプリング２２、コイルスプリング２２の張力を調整するためのネジ２４を備えている。吸盤２０は、コイルスプリング２２に取り付けられ、設置面６に調整部１４ａを接着させる接着子として機能する。なお、接着子としては、吸盤２０に代えて、磁石（設置面６が金属の場合に限る）、粘着材等を用いることもできる。コイルスプリング２２は、吸盤２０と筐体４との間を繋ぐ弾性体として機能する。なお、弾性体としては、弾性を有するゴム等の有機材料を用いることもできる。また、弾性体に代えて、金属等の安価な材料を用いることもできる。この場合には、弾性体を備えている場合と比較して音質は低下するが、材料にかかるコストを削減することができる。
【００１３】
ネジ２４は、設置面６とスピーカ１２との接触圧が適正な値となるように、コイルスプリング２２の張力を調整する調整部として機能する。なお、コイルスプリング２２及びネジ２４に代えて、電流量やシリンダ内圧力を増減させることにより、設置面６とスピーカ１２との接触圧を制御することができるボイスコイルモータや空気圧シリンダ等を用いることもできる。この場合には、弾性体（コイルスプリング２２）及び調整部（ネジ２４）の機能を一体化することができる。また、ネジ２４を締めたり緩めたりすることにより手動で調整するのに対し、ボイスコイルモータや空気圧シリンダ等を用いた場合には、自動で調整する構成にすることもできる。
【００１４】
ＤＰＦ２を設置面６に設置する際には、まず、調整部１４ａ，１４ｂの吸盤２０を設置面６に取り付け、吸盤２０と筐体固定部４ａ（図３参照）とをコイルスプリング２２を介して接合する。そして、設置面６とスピーカ１２との接触圧が適正な値となるように、ネジ２４を締緩することによりコイルスプリング２２の張力を調整する。即ち、コイルスプリング２２の張力を調整することにより、ピエゾアクチュエータ１６により駆動させる振動子１８は設置面６に密着され、振動子１８と設置面６との接触圧が調整される。
【００１５】
振動子１８と設置面６との適正な接触圧は、スピーカ１２に係るＤＰＦ２の重量、設置面６が水平か水平でないか等の設置面６の状態、設置面６の材質等の表面状態、及び設置面６に対するＤＰＦ２の姿勢の少なくとも１つに基づいて変化する。例えば、設置面６の材質が可塑性の高いものである場合には接触圧を弱く、設置面６の材質が可塑性の低いもの、弾性の強いものである場合には接触圧を強く、設置面６の材質が剛性の高いものである場合には接触圧を更に強くする。また、設置面６が平滑な場合には接触圧を弱く、設置面６が凹凸のある面の場合には接触圧を強くする。
【００１６】
第１の実施の形態に係るＤＰＦ２によれば、ＤＰＦ２の重量や姿勢に影響されることなく、ＤＰＦ２を設置する設置面６を良好に振動させることができ、スピーカ１２から良好な音声を出力させることができる。即ち、ＤＰＦ２のような軽量の電子機器であっても、調整部１４ａ，１４ｂにより振動子１８と設置面６との接触圧を適切な値に調整することができるため、振動子１８を設置面６に、設置面６が良好に振動するように密着させることができ、スピーカ１２から出力される音声の大きさや音質の低下を抑制することができる。また、重量の大きい電子機器であっても、調整部１４ａ，１４ｂにより振動子１８と設置面６との接触圧を適切な値に調整することができるため、接触圧が大きくなりすぎることを抑制することができ、振動子１８を設置面６に、設置面６が良好に振動する程度に密着させることができる。また、ＤＰＦ２の重量や姿勢だけでなく、設置面６の状態に応じて変化する振動子１８と設置面６との接触圧も適切な値に調整することができる。
【００１７】
次に、図面を参照して、本発明の第２の実施の形態に係るＤＰＦについて説明する。なお、第２の実施の形態に係るＤＰＦの構成については、第１の実施の形態に係るＤＰＦ２の構成に、第２スピーカ３０（図４参照）を追加したものであるため、第１の実施の形態に係るＤＰＦ２と同一の構成についての説明を省略する。また、第２の実施の形態に係るＤＰＦの機能や動作の説明においては、第１の実施の形態に係るＤＰＦ２の構成と同一の構成には同一の符号を用いる。
【００１８】
第２スピーカ３０は、例えば筐体４の両側面等に内蔵または取り付けられており、設置面６でない他の材料を振動させることにより、内部メモリ３４（図４参照）等に記録されオーディオデコーダ３６（図４参照）により復号化された音声データに基づく音声信号に応じた音声を出力する。即ち、第２の実施の形態に係るＤＰＦは、種類の異なるスピーカ（スピーカ（以下、第１スピーカという。）１２及び第２スピーカ３０）を備えている。図４は、第２の実施の形態に係るＤＰＦの音声出力に関するシステム構成を示すブロック図である。
【００１９】
外部音声入力Ｉ／Ｆ３２は、外部から音声信号が入力される際のインターフェースである。内部メモリ３４には、ＬＣＤパネル１０に表示するための画像の画像データや、第１スピーカ１２及び第２スピーカ３０の少なくとも一方から出力される音声の音声データ等が記憶される。オーディオデコーダ３６は、内部メモリ３４に記憶されている音声データを復号化する。
【００２０】
入力セレクタ３８は、外部音声入力Ｉ／Ｆ３２から入力される音声信号かオーディオデコーダ３６により復号化された音声信号かを選択し、選択した音声信号のみを後述する周波数分別回路４０及びアナログスイッチ４８に対して出力する。周波数分別回路４０は、入力セレクタ３８から出力された音声信号を高周波音声信号と低周波音声信号とに分別し、分別された高周波音声信号をＡ／Ｄ４２に対して、分別された低周波音声信号をＡ／Ｄ４４に対して出力する。なお、高周波が例えば５００Ｈｚより大きく２００００Ｈｚ以下、低周波が例えば５００Ｈｚ以下等、予め設定されている。Ａ／Ｄ４２，４４は、入力された音声信号をアナログ信号からデジタル信号に変換するコンバータであり、変換した音声信号をＣＰＵ４６に対して出力する。
【００２１】
ＣＰＵ４６は、Ａ／Ｄ４２から出力された高周波音声信号に含まれる音声情報と、Ａ／Ｄ４４から出力された低周波音声信号に含まれる音声情報とを比較し、比較結果に基づいて第１スピーカ１２により音声を出力するか、第２スピーカ３０により音声を出力するかを選択する。例えば、人に聞こえる周波数帯域等を考慮し、どちらの音声情報に大きさや音質等の重要視すべき音声が含まれているかを判定する。そして、Ａ／Ｄ４２から出力された高周波音声信号に重要視すべき音声が含まれていると判定した場合には、ＣＰＵ４６は、第２スピーカ３０により音声出力を行うことを選択し、アナログスイッチ４８に対してアンプ５２との接続をオンし、アクチュエータドライバ５０との接続をオフするよう指示する指示信号を出力する。一方、Ａ／Ｄ４４から出力された低周波音声信号に重要視すべき音声が含まれていると判定した場合には、ＣＰＵ４６は、第１スピーカ１２により音声出力を行うことを選択し、アナログスイッチ４８に対してアクチュエータドライバ５０との接続をオンし、アンプ５２との接続をオフするよう指示する指示信号を出力する。
【００２２】
アナログスイッチ４８は、ＣＰＵ４６から出力される指示信号に基づいて、アクチュエータドライバ５０との接続のオンオフ、及びアンプ５２との接続のオンオフを行うスイッチである。アクチュエータドライバ５０は、入力セレクタ３８から出力され、アナログスイッチ３８を介して入力された音声信号に応じてピエゾアクチュエータ１６が変位するように、ピエゾアクチュエータ１６に対して駆動信号を出力する。ピエゾアクチュエータ１６は、アクチュエータドライバ５０からの駆動信号に基づいて変位し、ピエゾアクチュエータ１６が変位することにより設置面６が振動し、第１スピーカ１２から音声が出力される。アンプ５２は、入力セレクタ３８から出力され、アナログスイッチ３８を介して入力された音声信号を増幅し、第２スピーカ３０は、アンプ５２により増幅された音声信号に応じた音声を出力する。
【００２３】
次に、第２の実施の形態に係るＤＰＦにおいて音声を出力する際の処理について説明する。ＣＰＵ４６は、図示しない操作ボタン等を介したユーザーからの指示に基づいて、入力セレクタ３８に対して、第１スピーカ１２または第２スピーカ３０により出力する音声の音声信号（外部音声入力Ｉ／Ｆ３２から入力される音声信号、または内部メモリ３４に記憶されオーディオデコーダ３６により復号化された音声信号等）を選択するよう指示する。そして、入力セレクタ３８により選択され、周波数分別回路４０により周波数分別され、Ａ／Ｄ４２，４４から入力された音声信号を取得する。次に、ＣＰＵ４６は、Ａ／Ｄ４２及びＡ／Ｄ４４から出力された音声信号に含まれる音声情報を比較し、比較結果に基づいてアナログスイッチ４８に対して指示信号を出力する。例えばＡ／Ｄ４２から出力された高周波音声信号がより重要であると判定された場合には、アナログスイッチ４８に対してアンプ５２への接続をオンし、アクチュエータドライバ５０への接続をオフするよう指示する指示信号を出力する。その結果、入力セレクタ３８により出力され、アナログスイッチ４８及びアンプ５２を介した音声信号に応じた音声が第２スピーカ３０より出力される。
【００２４】
一方、Ａ／Ｄ４４から出力された低周波音声信号がより重要であると判定された場合には、アナログスイッチ４８に対してアクチュエータドライバ５０への接続をオンし、アンプ５２への接続をオフするよう指示する指示信号を出力する。その結果、入力セレクタ３８により出力され、アナログスイッチ４８及びアクチュエータドライバ５０を介した音声信号に応じてピエゾアクチュエータ１６は変位することにより第１スピーカ１２から音声が出力される。なお、ＣＰＵ４６は、第１スピーカ１２の設置面６への接触圧の調整が適切になされていない場合には、各Ａ／Ｄ４２，４４から出力される音声信号に含まれる音声情報の比較を行うことなく、アナログスイッチ４８に対してアンプ５２への接続をオンし、アクチュエータドライバ５０への接続をオフするよう指示する指示信号を出力する。即ち、第１スピーカ１２からの音声の出力を行わず、第２スピーカ３０から音声を出力する。
【００２５】
第２の実施の形態に係るＤＰＦによれば、ＤＰＦ２の重量や姿勢、設置面６の状態に応じて、振動子１８と設置面６との接触圧を適切な値に調整することができるため、設置面６を良好に振動させることができ、第１スピーカ１２から良好な音声を出力させることができる。また、低周波音の再生を得意とする第１スピーカ１２に追加して、高周波音の再生を得意とし、第１スピーカ１２の構成と異なる構成を有する第２スピーカ３０を備えているため、出力される音声に応じて、第１スピーカ１２を用いて音声を出力するか第２スピーカ３０を用いて音声を出力するかを自動で選択することができる。したがって、周波数の違いによる音質の低下を抑制することができる。
【００２６】
なお、第２の実施の形態においては、高周波音声信号と低周波音声信号とを比較し、比較結果に基づいて第１スピーカ１２より音声出力を行うか第２スピーカ３０より音声出力を行うかを選択しているが、周波数分別回路４０により第１スピーカ１２により出力する低周波音声に基づく低周波音声信号と、第２スピーカ３０により出力する高周波音声に基づく高周波音声信号とに分別し、第１スピーカ１２により低周波音声の出力を行い、第２スピーカ３０により高周波音声の出力を行う構成にすることもできる。図５は、この場合におけるＤＰＦの音声出力に関するシステム構成を示すブロック図である。なお、図５において、図４に示す構成と同一の構成には同一の符号を用い、その説明を省略する。
【００２７】
この場合には、入力セレクタ３８により選択された音声信号は、まず、周波数分別回路４０により高周波音声信号と低周波音声信号とに分別される。そして、低周波音声信号に基づく低周波音声は、アクチュエータドライバ５０を介してピエゾアクチュエータ１６が低周波音声信号に応じて変位することにより第１スピーカ１２から出力される。一方、高周波音声信号に基づく高周波音声は、アンプ５２を介して第２スピーカ３０より出力される。即ち、第１スピーカ１２または第２スピーカ３０の何れかではなく、第１スピーカ１２及び第２スピーカ３０の両方から音声が出力される。この場合には、低周波音の再生を得意とする第１スピーカ１２から低周波音声が出力され、高周波音の再生を得意とする第２スピーカ３０から高周波音声が出力されるため、スピーカから出力される音質を向上させることができる。
【００２８】
次に、本発明の第３の実施の形態に係るＤＰＦについて説明する。第３の実施の形態に係るＤＰＦは、第２の実施の形態に係るＤＰＦと同様、第１の実施の形態に係るＤＰＦ２の構成（図１参照）に、第２スピーカ３０（図６参照）を追加したものである。図６は、第３の実施の形態に係るＤＰＦのシステム構成を示すブロック図である。なお、第３の実施の形態に係るＤＰＦの構成については、第２の実施の形態に係るＤＰＦと同一の構成についての説明を省略する。また、第３の実施の形態に係るＤＰＦの機能や動作の説明においては、第２の実施の形態に係るＤＰＦの構成（図４参照）と同一の構成には同一の符号を用いる。
【００２９】
図６に示すビデオデコーダ６０は、内部メモリ３４に記憶されている画像データを復号化し、復号化された画像データに基づく画像がＬＣＤパネル１０に表示される。
【００３０】
次に、第３の実施の形態に係るＤＰＦにおいて音声を出力する際の処理について説明する。ＣＰＵ４６は、ＬＣＤパネル１０に表示する画像の画像データ、及び第１スピーカ１２または第２スピーカ３０により出力する音声（ＬＣＤパネル１０に表示する画像に対応する音声）の音声データを内部メモリ３４から取得する。そして、ＣＰＵ４６は、取得した画像データ及び音声データの情報、即ち再生コンテンツの内容に基づいて、第１スピーカ１２で音声を再生するか、第２スピーカ３０で音声を再生するか、または第１スピーカ１２及び第２スピーカ３０の両方で音声を再生するかを選択する。例えば、映画等の動画コンテンツを再生する場合には、高音質が求められるため、第１スピーカ１２及び第２スピーカ３０の両方を用いて音声を再生する。また、複数の写真をスライドショーで表示すると同時に音声としてＢＧＭを再生する場合には、音質より聞き易さ及びＬＣＤパネル１０に表示される写真への悪影響の少なさ等が求められるため、第２スピーカ３０のみを用いて音声を再生する。このように、ＬＣＤパネル１０に表示される画像及び再生される音声の内容に基づいて、音声を再生するスピーカを選択する。
【００３１】
次に、ＣＰＵ４６は、音声を再生するスピーカを選択した後、アナログスイッチ４８に対して、アクチュエータドライバ５０及びアンプ５２への接続のオンオフを指示する指示信号を出力する。具体的には、映画等の動画コンテンツを再生する場合には、アクチュエータドライバ５０及びアンプ５２への接続をオンするよう指示する指示信号を出力し、写真をスライドショーで表示し、同時にＢＧＭを再生する場合には、アクチュエータドライバ５０への接続をオフし、アンプ５２への接続をオンするよう指示する指示信号を出力する。アクチュエータドライバ５０への接続がオンされると、音声が第１スピーカ１２から出力され、アンプ５２への接続がオンされると、音声が第２スピーカ３０から出力される。
【００３２】
第３の実施の形態に係るＤＰＦによれば、ＤＰＦ２の重量や姿勢、設置面６の状態に応じて、振動子１８と設置面６との接触圧を適切な値に調整することができるため、設置面６を良好に振動させることができ、第１スピーカ１２から良好な音声を出力させることができる。また、低周波音の再生を得意とする第１スピーカ１２に追加して、高周波音の再生を得意とし、第１スピーカ１２の構成と異なる構成を有する第２スピーカ３０を備えているため、再生される画像や音声のコンテンツに応じて、第１スピーカ１２を用いて音声を出力するか、第２スピーカ３０を用いて音声を出力するか、または第１スピーカ１２及び第２スピーカ３０の両方を用いて音声を出力するかを自動で選択することができる。したがって、ＬＣＤパネル１０の表示される画像に適した音声の再生を行うことができる。
【００３３】
なお、上述の各実施の形態に係るＤＰＦにおいては、図１に示すように、筐体４の下部にスピーカ（第１スピーカ）１２及び調整部１４ａ，１４ｂを内蔵しているが、図７（ａ）（ｂ）に示すように、筐体４の下部に調整部１４ａ，１４ｂ、脚部８の下部にスピーカ１２を内蔵する構成にすることもできる。また、筐体４の下部にスピーカ１２、脚部８の下部に調整部１４ａ，１４ｂを内蔵する構成、または脚部８の下部にスピーカ１２及び調整部１４ａ，１４ｂを内蔵する構成にすることもできる。
【００３４】
また、上述の各実施の形態に係るＤＰＦにおいては、図１に示すように、筐体４の下部にスピーカ１２及び調整部１４ａ，１４ｂを内蔵しているが、例えばＤＰＦが脚部８が回動可能に構成されており、筐体４の側部を設置面６に設置可能に構成されている場合には、筐体４の側部にもスピーカ１２と同様の構成を有するスピーカと、調整部１４ａ，１４ｂと同様の構成を有する調整部とを内蔵する構成にするとよい。即ち、ＤＰＦを９０度回転させた状態で設置面６に設置可能な場合等、ＤＰＦが設置面６に設置可能な面を複数有する場合には、設置可能な面毎にスピーカ及び調整部を内蔵する構成にするとよい。但し、上述したように、脚部８の下部にスピーカ１２及び調整部１４ａ，１４ｂを内蔵している場合には筐体４の設置可能な面毎にスピーカ及び調整部を、脚部８の下部にスピーカ１２のみを内蔵している場合には筐体４の設置可能な面毎にスピーカを、脚部８の下部に調整部１４ａ，１４ｂのみを内蔵している場合には筐体４の設置可能な面毎に調整部を内蔵する必要はない。
【００３５】
また、上述の各実施の形態に係るＤＰＦにおいては、机等の設置面６に立て掛けて設置するものを例に挙げて説明したが、壁に掛けて設置するもの、及び机等に立て掛けることもでき、かつ壁に掛けることもできるものにも本発明を適用することができる。壁に掛けて設置する場合には、筐体の裏面、即ち壁に接触する面に、スピーカ１２及び調整部１４ａ，１４ｂと同様の構成を有するスピーカ及び調整部を設ける。そして、ピエゾアクチュエータを変位させ、振動子を介して設定面としての壁面を適切に振動させることにより、スピーカから音声が出力される。また、調整部により振動子と壁面との接触圧を適切な値に調整する。
【００３６】
また、上述の各実施の形態においては、スピーカ１２がピエゾアクチュエータ１６を備えているが、ピエゾアクチュエータ１６に代えてボイスコイルモータや超磁歪素子によるアクチュエータ等を備える構成にしてもよい。
【００３７】
また、上述の各実施の形態においては、本発明の電子機器としてＤＰＦを例に挙げて説明したが、ネットブックやポータブルＤＶＤプレイヤー等の表示装置を備えた小型（軽量）の電子機器、液晶ディスプレイやプラズマディスプレイを備えた大型（重量）の電子機器等にも本発明を適用することができる。
【００３８】
また、上述の各実施の形態においては、本発明の電子機器として画像等を表示するＬＣＤパネル１０を備えたＤＰＦを例に挙げて説明したが、ＬＣＤパネル等の表示装置を備えない電子機器、即ちスピーカ機能のみを備えた電子機器（例えば、スピーカ装置）にも本発明を適用することができる。この場合における第３の実施の形態については、例えば、他の表示装置と本発明に係るスピーカ装置とを接続し、他の表示装置において画像の表示を行い、本発明に係るスピーカ装置において画像に対応する音声の再生を行う。
【符号の説明】
【００３９】
２…ＤＰＦ、４…筐体、６…設置面、８…脚部、１０…ＬＣＤパネル、１２…スピーカ（第１スピーカ）、１４ａ，１４ｂ…調整部、３０…第２スピーカ。
【図１】
2011182368.tif 000003
【図２】
2011182368.tif 000004
【図３】
2011182368.tif 000005
【図４】
2011182368.tif 000006
【図５】
2011182368.tif 000007
【図６】
2011182368.tif 000008
【図７】
2011182368.tif 000009